(57)【要約】【課題】筆記板として金属材を用いることにより、マグネットクリップで資料等を筆記面に固定可能としたホワイトボードにおいて、軽量化を実現すると共に、書き消し性を向上させた上で、環境に配慮したホワイトボードを提供することを目的とする。【解決手段】本発明は、段ボールからなる芯材と、この芯材の少なくとも一方の面に設けられた金属板と、前記芯材と前記金属板とを接合する水性接着材層と、前記金属板の表面に設けられた水性塗膜層とを有することを特徴とするホワイトボードである。【選択図】    図２
2016196141.tif 000002
【特許請求の範囲】
【請求項１】
段ボールからなる芯材と、この芯材の少なくとも一方の面に設けられた金属板と、前記芯材と前記金属板とを接合する水性接着材層と、前記金属板の表面に設けられた水性塗膜層とを有することを特徴とするホワイトボード。
【請求項２】
前記金属板は、厚さが０．５ｍｍ以下であることを特徴とする請求項１項記載のホワイトボード。
【請求項３】
前記段ボール芯材は、厚さが３ｍｍ以上であることを特徴とする請求項１項記載のホワイトボード。
【発明の詳細な説明】
【技術分野】
【０００１】
本発明は、金属性の筆記面を有するホワイトボードに関するものであり、特にホワイトボードの軽量化及び筆記面の書き消し性を向上させた上で、環境に配慮したホワイトボードに関するものである。
【背景技術】
【０００２】
ホワイトボードは、水性マーカーによって筆記するものであるが、単に筆記するだけの用途には、例えば特開平９−１７５０８５号に記載してあるような、紙の芯材の上にポリエチレン等の合成樹脂からなるフィルムを接着したものが用いられている。
しかしながら、このような紙と合成樹脂からなるホワイトボードにはマグネットクリップを利用することができない。
【０００３】
マグネットクリップを利用可能とするためには、例えば特開２００４−３４３８７号に記載してあるような、表面が金属で構成されたホワイトボードが必要となる。
このような金属性の表面を有するホワイトボードは、紙を芯材とするホワイトボードに比べて極めて重いものとなる。
このため、軽量化を目的として、紙や発泡スチロール等を芯材として用い、この芯材の表面に、筆記面を構成する薄い金属板を、有機溶媒を用いた接着材で接着したワイトボードも利用されている。
【０００４】
【特許文献１】特開平９−１７５０８５号
【特許文献２】特開２００４−３４３８７号
【発明の開示】
【発明が解決しようとする課題】
【０００５】
上述した従来のホワイトボードはいずれも、筆記面の表面に塗装された塗装材や、芯材と筆記板との接着材として、有機溶媒を用いたものを用いており、環境にやさしいものとはなっていない。
本発明は、ホワイトボードの軽量化を達成すると共に、筆記面の書き消し性能を落とすことなく、ホワイトボードの塗料や接着材として、有機溶媒を用いず、環境に配慮した製品を提供することを目的としている。
【０００６】
尚、本発明は、印刷された紙の資料等を、マグネットクリップによって、筆記面上に保持することが可能な、金属板を用いたホワイトボードに関するものであり、特に学校や会社の会議室等での利用に最適なホワイトボードに関するものである。
【課題を解決するための手段】
【０００７】
上記課題を解決するため、本発明はホワイトボードであって、請求項１に記載するように、段ボールからなる芯材と、この芯材の少なくとも一方の面に設けられた金属板と、前記芯材と前記金属板とを接合する水性接着材層と、前記金属板の表面に設けられた水性塗膜層とを有することを特徴としている。
【０００８】
また、請求項２に記載するように、軽量化を実現するために、前記金属板は、厚さが０．５ｍｍ以下であることを特徴としている。
また、請求項３に記載するように、水性塗料を用いることを可能とするために、段ボール芯材は、厚さが３ｍｍ以上であることを特徴とするものである。
【発明の効果】
【０００９】
本発明によれば、マグネットクリップ等を利用することが可能な利便性のあるホワイトボードにおいて、軽量化や書き消し性を向上させた上で、環境に配慮したホワイトボードを提供することが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示す壁掛け用のホワイトボードの正面図である。
１は筆記装置であるホワイトボード本体である。
２はホワイトボード本体１の表面において筆記を行う筆記面を構成する水性塗膜層である。
この筆記面として、水性塗料（水性塗膜層２）を用いることで、有機溶媒から成る塗料を用いるものに比べて、有毒ガスの発生がなく、また引火性もないため、環境にやさしいものとなる。
３はアルミニウム材からなるフレームであり、ホワイトボードの側面全面を覆っている。また、図示しないが、壁掛け用のフックが裏面に設けられている。
４は筆記面（水性塗膜層２）に筆記する水性マーカー、５は水性マーカーでの筆記を消去するイレイサ、６は水性マーカー４やイレイサ５を置くトレイである。
【００１２】
このホワイトボード１に用いられる筆記ボードの断面を図２に示す。
水性塗膜層２は厚さ０．２ｍｍの鉄製の金属板７に塗装されている。
そして、この金属板７は、軽量化のために段ボールを用いた厚さ３ｍｍの芯材９の両面に、水性接着材層８によって接着されている。
尚、ホワイトボードの大きさに応じて、金属板７の厚さは０．２ｍｍから０．５ｍｍのものを使用し、芯材の厚さは約３ｍｍから７ｍｍのものを使用している。
芯材の厚さが薄い場合、水性接着剤での金属板の接着は難しくなる。
このため、上述のように３ｍｍ以上としている。
【００１３】
本実施例においては、環境に考慮して水を溶媒とした水性接着材を用いている。
通常、紙である芯材９に金属板７を接着する場合は、有機溶媒の接着材を用いる。それは、水性接着材では、紙に水が浸透して柔らかくなり、伸縮するため、確実な接着ができないためである。
これに対して、本実施例のホワイトボードでは、接着工程において、速乾性の接着材を用い、かつ湿潤管理及び表面張力塗布制御を行うことで水性接着材を用いることを可能にしている。
この水性接着材を用いることにより、前述の水性塗料と同様に、有毒ガスの発生がなく、また引火性もないため、環境にやさしいものとなる。
【００１４】
この水性接着剤としては、例えば特開平５−１９４９２５号に記載されたような、ポリビニルアルコール、ポリエチレンイミン、及びクレーを含有する混合水溶液からなる接着剤を用いることができる。
【００１５】
金属板７の表面に設けられる水性塗膜層２としては、例えば特開２０１０−１５８８９２号に示された水性塗料を用いることができる。
尚、この特開２０１０−１５８８９２号の水性塗料は常温硬化型の塗料であるが、本実施例においては、熱硬化型の塗料でもよく、これに限定されるものではない。
水性塗料の成分を最適化することによって、水性マーカーによる筆記の書き消し性が向上する。
【００１６】
このような水性塗膜層２の形成された金属板７は、段ボール製の芯材９の両面に設けられているが、これは、筆記ボードの両面に筆記を可能とするためであるが、更に筆記ボードの剛性を高めるためでもある。
特に、図３に示すような、筆記ボードをスタンド１０に回転可能に配置して用いるホワイトボードの場合、筆記ボードの剛性と両面の筆記が必要となる。
しかしながら、例えば、壁に固定して用いるホワイトボードの場合は、両面の筆記は特に必要ではなく、芯材９の一方の面にのみ金属板７を接着してもよい。
【００１７】
尚、本実施例においては、金属板７は、段ボールの芯材９の帯条体に平行な面に接着されているが、これに限定されるものではなく、帯条体に垂直な面に接着してもよい。この場合は、芯材９はハニカム構造となり、更に筆記ボードの剛性が増すことになる。
【００１８】
本発明は、上記実施例に限定されるものではなく、例えば、水性接着剤や水性塗料の成分は種々変更可能である。
また、金属板と水性塗膜層の間に下地層を設けてもよく、また、水性塗膜層の上に保護膜を設けても良い。
【産業上の利用可能性】
【００１９】
本発明は、マグネットクリップで資料等を筆記面に固定可能であり、かつ軽量化を達成でき、更に筆記の書き消し性を損なうことなく、環境に配慮したホワイトボードを提供するものであり、会議室、或いは学校の教室などで用いることができる。
【図面の簡単な説明】
【００２０】
【図１】図１は、本発明のの実施例の形態に係る、壁掛け用のホワイトボードを示す正面図である。
【図２】図２は、本発明の実施例に用いる筆記ボードの断面を示す図である。
【図３】図３は、本発明の実施例の形態に係る、スタンド型ホワイトボードを示す正面図である。
【符号の説明】
【００２１】
１：ホワイトボード本体
２：水性塗膜層
７：金属板
８：水性接着剤層
９：段ボール芯材
【図１】
2016196141.tif 000003
【図２】
2016196141.tif 000004
【図３】
2016196141.tif 000005